(57)【特許請求の範囲】
【請求項１】
第１導電型の半導体基板を用いたダイオードであって、
前記半導体基板の表層部に形成されている第２導電型のアノード領域と、
前記半導体基板の前記表層部に形成されており、前記アノード領域を貫通している複数の絶縁トレンチと、
前記半導体基板の前記表層部に形成されており、前記アノード領域よりも深く、前記絶縁トレンチよりも浅い深さに位置する第１導電型のバリア領域と、
前記半導体基板の前記表層部に形成されており、前記バリア領域よりも深く、前記絶縁トレンチよりも浅い深さに位置する第２導電型の電界緩和領域と、を備えており、
前記バリア領域と前記アノード領域が離れており、
前記バリア領域と前記アノード領域の間には、前記半導体基板の基板濃度を超えるように不純物が導入された領域が存在しない、ダイオード。
【請求項２】
前記半導体基板の裏層部に形成されており、前記半導体基板の基板濃度よりも濃い第１導電型のカソード領域をさらに備えており、
前記カソード領域は、複数のカソード部分領域で構成されており、
複数の前記カソード部分領域は、前記半導体基板の厚み方向に直交する面内において、分散して設けられている請求項１に記載のダイオード。
【請求項３】
隣り合う前記カソード部分領域の間に設けられている第２導電型の介在領域をさらに備えている請求項２に記載のダイオード。
【発明の詳細な説明】
【技術分野】
【０００１】
本発明は、ダイオードに関する。
【背景技術】
【０００２】
ダイオードは、様々な用途で広く用いられており、例えば、入力電圧を変圧（昇圧又は降圧）して出力する電力変換装置のコンバータ回路、又は入力電圧を直流と交流の間で変換して出力する電力変換装置のインバータ回路で用いられている。この種のダイオードは、ＭＯＳＦＥＴ（Metal Oxide Semiconductor Field Effect Transistor）又はＩＧＢＴ（Insulated Gate Bipolar Transistor）等のスイッチング素子に対して逆並列に接続されており、フリーホイールダイオード（Free Wheel Diode）と称される。ダイオードでは、フリーホイールダイオードに限らず、リカバリ特性の改善と高耐圧化とを両立させる技術の開発が望まれている。
【０００３】
一般的に、ダイオードのリカバリ特性と耐圧は、アノード領域の不純物濃度に依存する。例えば、アノード領域の不純物濃度を薄くすれば、順方向電圧が印加されているときに、アノード領域から注入されるキャリア量が抑えられ、逆回復電荷量（Ｑｒｒ）が減少し、リカバリ時の損失が低下する。ところが、アノード領域の不純物濃度を薄くすると、逆方向電圧が印加されているときに、空乏層がアノード領域を超えてアノード電極に達するリーチスルー現象が生じてしまう。アノード領域にリーチスルー現象が生じると、逆方向電流が増加して耐圧が低下してしまう。
【０００４】
特許文献１及び非特許文献１には、リカバリ特性の改善と高耐圧化とを両立させる技術の一例が開示されている。特許文献１及び非特許文献１には、ＩＧＢＴとダイオードが一体化した逆導通型ＩＧＢＴの例が開示されている。図７に、非特許文献１に開示される逆導通型ＩＧＢＴのうちのダイオード範囲の構成を示す。
【０００５】
図８に示されるように、ダイオード１００は、ｎ−型の半導体基板１２０を用いて形成されており、ｎ＋型のカソード領域１２２とｎ型のバッファ領域１２３とｎ−型のドリフト領域１２４とｎ型のバリア領域１２６とｐ型のアノード領域１２７と絶縁トレンチ１３６を備えている。絶縁トレンチ１３６は、絶縁膜１３４とポリシリコン部１３２とを有しており、ＩＧＢＴ範囲の絶縁トレンチゲートと同時に形成される。ポリシリコン部１３２は、アノード領域１２７と同一の電位に固定されていてもよいし、電気的に絶縁されたフローティングであってもよい。
【０００６】
ダイオード１００では、バリア領域１２６が設けられていることを１つの特徴としている。バリア領域１２６は、アノード領域１２７から注入される正孔に対して電位障壁を形成する。このため、バリア領域１２６が設けられていると、順方向電圧が印加されているときに、アノード領域１２７から注入される正孔の注入量が抑えられ、リカバリ特性が改善される。
【０００７】
正孔の注入量をさらに抑えるためには、バリア領域１２６の不純物濃度を濃くするのが望ましい。しかしながら、バリア領域１２６の不純物濃度を濃くすると、アノード領域１２７からドリフト領域１２４に向けて伸びる空乏層の幅が抑えられ、バリア領域１２６において電界が集中し、ダイオード１００の耐圧が低下する。
【０００８】
これに対し、ダイオード１００では、絶縁トレンチ１３６が設けられていることを１つの特徴としている。絶縁トレンチ１３６が設けられていると、逆方向電圧が印加されているときに、絶縁トレンチ１３６の底面に電界を集中させることができる。このため、ダイオード１００の耐圧は、例えば絶縁トレンチ１３６のメサ幅（隣り合う絶縁トレンチ１３６間の距離）のような絶縁トレンチ１３６の形態に依存させることができるので、絶縁トレンチ１３６の形態によって必要な耐圧を確保しながら、バリア領域１２６の不純物濃度を濃くすることができる。この結果、順方向電圧が印加されてるときに、アノード領域１２７から注入される正孔の注入量をさらに抑えることができるので、リカバリ特性をさらに改善することができる。このように、バリア領域１２６と絶縁トレンチ１３６を組合わせる技術は、リカバリ特性の改善と高耐圧化とを両立させるのに有用である。
【先行技術文献】
【特許文献】
【０００９】
【特許文献１】特開２００８−４７５６５号公報（特に、図６参照）
【非特許文献】
【００１０】
【非特許文献１】三菱電機技報  ２００７年  Ｖｏｌ.８１  Ｎｏ.５  「モータ制御用ＲＣ−ＩＧＢＴ」
【発明の概要】
【発明が解決しようとする課題】
【００１１】
上記したように、絶縁トレンチ１３６が設けられていると、絶縁トレンチ１３６の底面に電界を集中させることができるので、バリア領域１２６の電界集中が緩和され、結果としてバリア領域１２６の不純物濃度を濃くすることができる。このような絶縁トレンチ１３６の底面における電界集中は、例えば絶縁トレンチ１３６のメサ幅に依存する。このため、絶縁トレンチ１３６の底面における電界集中は、微細加工技術に依存することになるので、バリア領域１２６の不純物濃度の高濃度化に限界がある。
【００１２】
本明細書で開示される技術は、絶縁トレンチとバリア領域を備えたダイオードにおいて、耐圧を維持しながらリカバリ特性を改善する技術を提供することを目的としている。
【課題を解決するための手段】
【００１３】
本願明細書で開示される技術では、バリア領域の下方に電界緩和領域が設けられていることを特徴としている。電界緩和領域は、バリア領域とは反対導電型で形成されている。このため、バリア領域の不純物濃度が濃い場合でも、バリア領域の下方からバリア領域を空乏化させることができるので、バリア領域の電界集中を緩和させることができる。電界緩和領域が設けられていると、耐圧を維持しながらバリア領域の不純物濃度をさらに濃くすることができる。この結果、アノード領域から注入されるキャリアの注入量がさらに抑えられ、リカバリ特性が改善される。
【００１４】
すなわち、本明細書で開示されるダイオードは、第１導電型の半導体基板を用いて形成されており、第２導電型のアノード領域と複数の絶縁トレンチと第１導電型のバリア領域と第２導電型の電界緩和領域を備えている。アノード領域は、半導体基板の表層部に形成されている。複数の絶縁トレンチは、半導体基板の表層部に形成されており、アノード領域を貫通している。バリア領域は、半導体基板の表層部に形成されており、アノード領域よりも深く、絶縁トレンチの底面よりも浅い深さに位置している。電界緩和領域は、半導体基板の表層部に形成されており、バリア領域よりも深く、絶縁トレンチよりも浅い深さに位置している。
【００１５】
本明細書で開示されるダイオードでは、バリア領域とアノード領域が離れているのが望ましい。ここで、バリア領域とアノード領域が離れているとは、バリア領域を形成するために導入した不純物とアノード領域を形成するために導入した不純物が同一濃度となる深さにおけるその濃度が、半導体基板の基板濃度よりも薄い場合をいう。あるいは、バリア領域を形成するために導入した不純物が存在する範囲とアノード領域を形成するために導入した不純物が存在する範囲が、半導体基板の厚み方向で完全に分離している場合をいう。このような関係にあると、バリア領域の形成位置は、バリア領域の製造ばらつきのみに依存する。このため、バリア領域の形成位置は、アノード領域の製造ばらつきの影響を受けないことから、素子毎のばらつきが抑えられる。
【００１６】
本明細書で開示されるダイオードは、第１導電型のカソード領域をさらに備えているのが望ましい。カソード領域は、半導体基板の裏層部に形成されている。この場合、カソード領域は、複数のカソード部分領域で構成されているのが望ましい。複数のカソード部分領域は、半導体基板の厚み方向に直交する面内において、分散して設けられていることを特徴としている。複数のカソード部分領域で構成されていると、半導体基板の裏層部から注入されるキャリア量が抑えられ、リカバリ時の損失が低下する。
【００１７】
本明細書で開示されるダイオードは、隣り合うカソード部分領域の間に設けられている第２導電型の介在領域をさらに備えているのが望ましい。この形態によると、半導体基板の裏層部から注入されるキャリア量がさらに抑えられ、リカバリ時の損失がさらに低下する。
【発明の効果】
【００１８】
本明細書で開示されるダイオードでは、バリア領域の下方に電界緩和領域が設けられているので、バリア領域の電界集中が緩和される。このため、ダイオードの耐圧を維持しながらバリア領域の不純物濃度を濃くし、リカバリ特性を改善することができる。
【図面の簡単な説明】
【００１９】
【図１】第１実施例の縦型ダイオードの要部断面図を示す。
【図２】逆回復電荷量（Ｑｒｒ）のバリア領域のピーク濃度に対する依存性を示す。
【図３】逆回復電荷量（Ｑｒｒ）の耐圧に対する依存性を示す。
【図４】第１実施例の縦型ダイオードの変形例の要部断面図を示す。
【図５】第１実施例の縦型ダイオードの変形例の不純物濃度分布を示す。
【図６】第２実施例の縦型ダイオードの要部断面図を示す。
【図７】第３実施例の縦型ダイオードの要部断面図を示す。
【図８】従来の縦型ダイオードの要部断面図を示す。
【発明を実施するための形態】
【００２０】
本願明細書で開示される技術の特徴を整理しておく。
（第１特徴）ダイオードは、半導体基板の表面から順に、ｐ型のアノード領域と、ｎ型のバリア領域と、ｐ型の電界緩和領域と、ｎ−型のドリフト領域とを有する。アノード領域とバリア領域の間に、ｎ−型の上側ドリフト領域が設けられていてもよい。
（第２特徴）絶縁トレンチは、半導体基板の表面から裏面に向けて伸びるトレンチを利用して形成される。絶縁トレンチでは、少なくともトレンチの内壁を被覆するように絶縁体が設けられている。絶縁トレンチは、トレンチ内に充填される絶縁体のみで構成されていてもよく、絶縁膜とその絶縁膜で被覆される導電体で構成されていてもよい。後者の場合、導電体は、アノード領域と同一の電位に固定されていてもよく、電気的に絶縁されたフローティングであってもよい。なお、絶縁トレンチは、耐圧を確保するために、絶縁膜とその絶縁膜で被覆される導電体で構成されているのが望ましい。
（第３特徴）バリア領域は、イオン注入技術を利用して形成された拡散領域であってもよい。この場合、バリア領域は、半導体基板の厚み方向に観測したときに、極大値となるピーク濃度を有する。
（第４特徴）電界緩和領域は、イオン注入技術を利用して形成された拡散領域であってもよい。この場合、電界緩和領域は、半導体基板の厚み方向に観測したときに、極大値となるピーク濃度を有する。
（第５特徴）電界緩和領域のピーク濃度は、約１×１０１５〜５×１０１６ｃｍ−３の範囲であるのが望ましい。この濃度範囲であれば、ｐ型のアノード領域とｎ型のバリア領域とｐ型の電界緩和領域とｎ型のドリフト領域で構成される寄生サイリスタが動作するのを抑制することができる。
（第６特徴）ダイオードには、ライフタイム制御用の欠陥領域が形成されていない。このような欠陥領域が形成されていなくても、逆回復電荷量（Ｑｒｒ）が十分に低く、リカバリ時の損失が小さい。
【実施例１】
【００２１】
以下、図面を参照して、本実施例の逆導通型ＩＧＢＴに内蔵される縦型ダイオードを説明する。本実施例の逆導通型ＩＧＢＴは、入力電圧を直流と交流の間で変換して出力する車載用の電力変換装置のインバータ回路に用いられる。逆導通型ＩＧＢＴは、半導体基板内にＩＧＢＴ範囲とダイオード範囲を備えており、ＩＧＢＴ範囲には縦型ＩＧＢＴを構成するための構造が形成されており、ダイオード範囲には縦型ダイオードを構成するための構造が形成されている。本実施例の縦型ダイオードは、ＰｉＮダイオードと称されるタイプである。
【００２２】
図１に示されるように、ダイオード１０は、ｎ−型のシリコン単結晶の半導体基板２０を用いて形成されており、ｎ＋型のカソード領域２２とｎ型のバッファ領域２３とｎ−型のドリフト領域２４とｐ型の電界緩和領域２５とｎ型のバリア領域２６とｐ型のアノード領域２７と絶縁トレンチ３６を備えている。
【００２３】
カソード領域２２は、イオン注入技術を利用して、半導体基板２０の裏層部にリンイオンを導入して形成されている。カソード領域２２は、半導体基板２０の裏面に形成されている図示しないカソード電極に接続されている。カソード領域２２を形成するイオン注入工程では、ピーク濃度が半導体基板２０の基板濃度を超える条件で実施される。一例では、カソード領域２２のドーズ量は約１×１０１４〜１×１０１６ｃｍ−２であり、ピーク濃度が約１×１０１８〜１×１０２０ｃｍ−３であるのが望ましい。
【００２４】
バッファ領域２３は、イオン注入技術を利用して、半導体基板２０の裏層部にリンイオンを導入して形成されている。バッファ領域２３を形成するイオン注入工程では、ピーク濃度が半導体基板２０の基板濃度を超える条件で実施される。一例では、バッファ領域２３のドーズ量は約１×１０１２〜１×１０１４ｃｍ−２であり、ピーク濃度が約１×１０１６〜１×１０１８ｃｍ−３であるのが望ましい。
【００２５】
ドリフト領域２４は、他の拡散領域を形成した残部である。ドリフト領域２４の不純物濃度は、半導体基板２０の基板濃度と実質的に一致しており、厚み方向に一定である。一例では、ドリフト領域２４の不純物濃度は約１×１０１３〜１×１０１５ｃｍ−３であるのが望ましい。
【００２６】
電界緩和領域２５は、イオン注入技術を利用して、半導体基板２０の表層部にボロンイオンを導入して形成されている。電界緩和領域２５を形成するイオン注入工程では、ピーク濃度が半導体基板２０の基板濃度を超える条件で実施される。そのピーク濃度が形成される深さは、バリア領域２６の下端よりも深く、絶縁トレンチ３６の底面よりも浅い深さに調整される。一例では、電界緩和領域２５のドーズ量は約１×１０１１〜５×１０１２ｃｍ−２であり、ピーク濃度が約１×１０１５〜５×１０１６ｃｍ−３であるのが望ましい。また、電界緩和領域２５のピーク深さは約２．０〜３．５μｍであるのが望ましい。電界緩和領域２５は、電気的にフローティングであるのが望ましい。
【００２７】
バリア領域２６は、イオン注入技術を利用して、半導体基板２０の表層部にリンイオンを導入して形成されている。バリア領域２６を形成するイオン注入工程では、ピーク濃度が半導体基板２０の基板濃度を超える条件で実施される。そのピーク濃度が形成される深さは、アノード領域２７の下端よりも深く、絶縁トレンチ３６の底面よりも浅い深さに調整される。一例では、バリア領域２６のドーズ量は約１×１０１１〜１×１０１３ｃｍ−２であり、ピーク濃度が約１×１０１５〜１×１０１７ｃｍ−３であるのが望ましい。また、バリア領域２６のピーク深さは約１．５〜３．０μｍであるのが望ましい。バリア領域２６は、電気的にフローティングであるのが望ましい。また、図１に示されるように、バリア領域２６と電界緩和領域２５は接触しているのが望ましい。
【００２８】
アノード領域２７は、イオン注入技術を利用して、半導体基板２０の表層部にボロンイオンを導入して形成されている。アノード領域２７は、半導体基板２０の表面に形成されている図示しないアノード電極に接続されている。アノード領域２７を形成するイオン注入工程では、ピーク濃度が半導体基板２０の基板濃度を超える条件で実施される。一例では、アノード領域２７のドーズ量は約５×１０１１〜１×１０１４ｃｍ−２であり、ピーク濃度が約１×１０１６〜１×１０１８ｃｍ−３であるのが望ましい。また、アノード領域２７の下端の深さは約０．５〜１．０μｍであるのが望ましい。
【００２９】
絶縁トレンチ３６は、絶縁膜３４とその絶縁膜３４で被覆されるポリシリコン部３２とを有している。絶縁トレンチ３６は、ＩＧＢＴ範囲の絶縁トレンチゲートと同時に形成される。ポリシリコン部３２は、アノード領域２７と同一の電位に固定されていてもよいし、電気的に絶縁されたフローティングであってもよい。一例では、平面視したときに、絶縁トレンチ３６のレイアウトはストライプ状である。また、絶縁トレンチ３６の底面の深さは約３．０〜７．０μｍであり、メサ幅Ｗ１は約１〜７μｍであり、ピッチ幅Ｗ２は約２〜８μｍであるのが望ましい。
【００３０】
次に、ダイオード１０の特徴を説明する。ダイオード１０は、バリア領域２６を備えていることを１つの特徴としている。バリア領域２６は、アノード領域２７から注入される正孔に対して電位障壁を形成する。このため、バリア領域２６が設けられていると、順方向電圧が印加されているときに、アノード領域２７から注入される正孔の注入量が抑えられ、リカバリ特性が改善される。
【００３１】
ダイオード１０はさらに、絶縁トレンチ３６を備えていることを１つの特徴としている。絶縁トレンチ３６が設けられていると、逆方向電圧が印加されているときに、絶縁トレンチ３６の底面に電界を集中させることができる。このため、絶縁トレンチ３６の底面に電界を集中させることで、バリア領域２６の電界集中を緩和させることができる。この結果、バリア領域２６の不純物濃度を濃くすることができるので、アノード領域２７から注入される正孔の注入量が抑えられ、リカバリ特性が改善される。
【００３２】
ダイオード１０はさらに、バリア領域２６の下方に電界緩和領域２５が設けられていることを特徴としている。電界緩和領域２５は、バリア領域２６の不純物濃度が濃い場合でも、バリア領域２６の下方からバリア領域を空乏化させることができるので、バリア領域２６の電界集中をさらに緩和することができる。このため、電界緩和領域２５が設けられていると、ダイオード１０の耐圧を維持しながらバリア領域２６の不純物濃度をさらに濃くすることができる。この結果、アノード領域２７から注入される正孔の注入量がさらに抑えられ、リカバリ特性が改善される。
【００３３】
図２に、逆回復電荷量（Ｑｒｒ）のバリア領域２６のピーク濃度に対する依存性を示す。図２に示されるように、バリア領域２６のピーク濃度が増加すると、逆回復電荷量（Ｑｒｒ）が減少する。このため、バリア領域２６のピーク濃度が増加すると、リカバリ時の損失が低下する。
【００３４】
図３に、逆回復電荷量（Ｑｒｒ）の耐圧に対する依存性を示す。図３に示されるように、比較例（電界緩和領域２５が形成されていない例であり、図８に対応する）では、逆回復電荷量（Ｑｒｒ）が減少すると（すなわち、バリア領域２６のピーク濃度が増加すると）、耐圧が急激に悪化している。この結果は、バリア領域２６における電界集中が原因だと推察される。一方、本実施例のダイオード１０では、逆回復電荷量（Ｑｒｒ）が減少しても（すなわち、バリア領域２６のピーク濃度が増加しても）、耐圧が維持されている。この結果は、電界緩和領域２５がバリア領域２６の電界集中を緩和したことが理由だと推察される。このように、ダイオード１０は、バリア領域２６と絶縁トレンチ３６と電荷緩和領域２５を備えているので、高耐圧で低逆回復電荷量（Ｑｒｒ）という特性を具備することができる。
【００３５】
（ダイオード１０の変形例）
図４に、実施例１のダイオード１０の変形例を示す。このダイオード１０Ａは、バリア領域２６とアノード領域２７が離れていることを特徴としている。図５に、半導体基板２０の表面からの深さと不純物濃度の関係を示す。図５に示されるように、ダイオード１０Ａでは、バリア領域２６を形成するために導入した不純物とアノード領域２７を形成するために導入した不純物が同一濃度となる深さにおけるその濃度が、半導体基板２０の基板濃度よりも薄い。このため、バリア領域２６とアノード領域２７は、上側ドリフト領域２４ａによって隔てられていることを特徴としている。
【００３６】
図１に示されるダイオード１０では、バリア領域２６とアノード領域２７が接触している。この場合、バリア領域２６とアノード領域２７の境界の深さは、バリア領域２６を形成するために導入された不純物とアノード領域２７を形成するために導入された不純物が同一濃度となる位置である。このような深さは、不純物の導入工程及び拡散工程に関する製造ばらつきに依存して変動する。
【００３７】
図４に示される変形例のダイオード１０Ａでは、バリア領域２６を形成するために導入した不純物とアノード領域２７を形成するために導入した不純物が同一濃度となる深さにおけるその濃度が、半導体基板２０の基板濃度よりも薄い。通常、半導体基板２０の基板濃度のばらつきは小さいので、この場合、バリア領域２６の形成位置は、バリア領域２６の製造ばらつきにのみ依存する。このため、ダイオード１０では、バリア領域２６を所望の位置に形成することができるので、素子毎の特性のばらつきが抑えられる。なお、バリア領域２６とアノード領域２７は、０．５μｍ以上離れているのが望ましい。換言すれば、上側ドリフト領域２４ａの厚みが０．５μｍ以上であるのが望ましい。
【実施例２】
【００３８】
図６に示されるように、ダイオード１１では、カソード領域２２が複数のカソード部分領域２２ａで構成されていることを特徴としている。複数のカソード部分領域２２ａは、半導体基板２０の厚み方向に直交する面内において、分散して設けられている。なお、一例では、複数のカソード部分領域２２ａは、平面視したときにストライプ状であり、絶縁トレンチ３６に平行である。また、カソード部分領域２２ａは、厚み方向において、アノード領域２７、バリア領域２６及び電界緩和領域２５の下方に配置されている。
【００３９】
ダイオード１１も、半導体基板２０の表層部にバリア領域２６と絶縁トレンチ３６が形成されている。このため、アノード領域２７から注入される正孔量が低く抑えられている。この場合、逆回復電荷量（Ｑｒｒ）は、カソード領域２２から注入される電子量が支配的となる。カソード領域２２が複数のカソード部分領域２２ａで構成されていると、半導体基板２０の裏層部に占めるカソード領域２２の面積が減少するので、カソード領域２２から注入される電子量が減少し、逆回復電荷量（Ｑｒｒ）がさらに減少する。
【００４０】
なお、半導体基板２０の表層部にバリア領域２６と絶縁トレンチ３６が形成されていないような場合、逆回復電荷量（Ｑｒｒ）はアノード領域２７から注入される正孔が支配的であり、カソード領域２２を分散させる効果がほとんど発揮されない。本実施例のダイオード１１のように、半導体基板２０の表層部にバリア領域２６と絶縁トレンチ３６が形成されているような場合、カソード領域２２を分散させる効果が顕著に発揮される。すなわち、半導体基板２０の表層部にバリア領域２６と絶縁トレンチ３６を形成する技術とカソード領域２２を分散させる技術の組合わせは極めて有用である。
【実施例３】
【００４１】
図７に示されるように、ダイオード１２は、隣り合うカソード部分領域２２ａの間に設けられているｐ＋型の介在領域２３をさらに備えていることを特徴としている。この形態によると、半導体基板２０の裏層部から注入されるキャリア量がさらに抑えられ、リカバリ時の損失がさらに低下する。
【００４２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４３】
２０：半導体基板
２４：ドリフト領域
２５：電界緩和領域
２６：バリア領域
２７：アノード領域
３２：ポリシリコン部
３４：絶縁膜
３６：絶縁トレンチ
【図１】
0005874210.tif 000002
【図２】
0005874210.tif 000003
【図３】
0005874210.tif 000004
【図４】
0005874210.tif 000005
【図５】
0005874210.tif 000006
【図６】
0005874210.tif 000007
【図７】
0005874210.tif 000008
【図８】
0005874210.tif 000009